(57)【要約】      （修正有）【課題】ランダムアクセスチャネル(RACH)リソースを割り当てる方法と装置を提供する。【解決手段】方法は、アップリンク(UL)コンポーネントキャリア(CC)セットとダウンリンク(DL)コンポーネントキャリアセットをユーザー装置（UE）に配置し、キャリアアグリゲーション(CA)するステップを含む。更に、UL CCセットのアップリンクコンポーネントキャリアとDL CCセットのダウンリンクコンポーネントキャリアを対にして、ランダムアクセスを実行する方法を含み、アップリンクコンポーネントキャリアは、ランダムアクセスチャネル(RACH)リソースを含む。方法は、更に、ランダムアクセス工程で、UEから、UL CC上で、ランダムアクセス前文メッセージを受信し、ランダムアクセス前文メッセージの受信に応答して、対のDL CC上で、ランダムアクセス応答メッセージを伝送するステップを含む。【選択図】図５
2011139461.tif 000002
【特許請求の範囲】
【請求項１】
ワイヤレスコミュニケーションシステム中、eNodeB(eNB)がランダムアクセスチャネル(RACH)リソースを割り当てる方法であって、
アップリンク(UL)コンポーネントキャリア(CC)セットとダウンリンク(DL)コンポーネントキャリアセットをユーザー装置（UE）に配置し、キャリアアグリゲーション(CA)するステップと、
前記アップリンクコンポーネントキャリアセットの、ランダムアクセスチャネル(RACH)リソースを含むアップリンクコンポーネントキャリアと前記ダウンリンクコンポーネントキャリアセットのダウンリンクコンポーネントキャリアを対にして、ランダムアクセスを実行する方法と、
ランダムアクセス工程で、前記UEから、前記UL  CC上で、ランダムアクセス前文メッセージを受信し、前記ランダムアクセス前文メッセージの受信に応答して、前記の対のDL  CC上で、ランダムアクセス応答メッセージを伝送するステップと、
を含むことを特徴とする方法。
【請求項２】
前記UL  CCと前記の対のDL  CCはセルを形成することを特徴とする請求項１に記載の方法。
【請求項３】
更に、
専用の無線リソース制御(RRC)メッセージを送信して、前記UEを配置し、キャリアアグリゲーションを実行するステップを含むことを特徴とする請求項１に記載の方法。
【請求項４】
前記UL  CCと前記の対のDL  CC間の対の関係は、前記専用のRRCメッセージで指示されることを特徴とする請求項３に記載の方法。
【請求項５】
前記UL  CCのPRACH配置は、前記専用のRRCメッセージに含まれ、前記RACHリソースを定義することを特徴とする請求項３に記載の方法。
【請求項６】
前記専用のRRCメッセージはRRC接続再配置メッセージであることを特徴とする請求項３に記載の方法。
【請求項７】
ワイヤレスコミュニケーションシステム中、eNodeB(eNB)がランダムアクセスチャネル(RACH)リソースを割り当てる装置であって、
アップリンク(UL)コンポーネントキャリア(CC)セットとダウンリンク(DL)コンポーネントキャリアセットをユーザー装置（UE）に配置し、キャリアアグリゲーション(CA)する第一モジュールと、
前記アップリンクコンポーネントキャリアセットの、ランダムアクセスチャネル(RACH)リソースを含むアップリンクコンポーネントキャリアと前記ダウンリンクコンポーネントキャリアセットのダウンリンクコンポーネントキャリアを対にして、ランダムアクセスを実行する第二モジュールと、
ランダムアクセス工程で、前記UEから、前記UL  CC上で、ランダムアクセス前文メッセージを受信し、前記ランダムアクセス前文メッセージの受信に応答して、前記の対のDL  CC上で、ランダムアクセス応答メッセージを伝送する第三モジュールと、
を含むことを特徴とする装置。
【請求項８】
前記UL  CCと前記の対のDL  CCはセルを形成することを特徴とする請求項７に記載の装置。
【請求項９】
前記第一モジュールは、専用の無線リソース制御(RRC)メッセージを送信して、前記UEを配置し、キャリアアグリゲーションを実行することを特徴とする請求項７に記載の装置。
【請求項１０】
前記専用のRRCメッセージは、前記UL  CCと前記の対のDL  CC間の対の関係を指示することを特徴とする請求項９に記載の装置。
【請求項１１】
前記UL  CCのPRACH配置は、前記専用のRRCメッセージに含まれ、前記RACHリソースを定義することを特徴とする請求項９に記載の装置。
【請求項１２】
前記専用のRRCメッセージはRRC接続再配置メッセージであることを特徴とする請求項９に記載の装置。
【発明の詳細な説明】
【技術分野】
【０００１】
本発明は、ワイヤレスコミュニケーションネットワーク中、eNodeB(eNB)が、キャリアアグリゲーション下で、ランダムアクセスチャネル(RACH)リソースを割り当てる方法と装置に関するものである。
【背景技術】
【０００２】
3GPP、又は、3GPP2プロトコル標準を用いた一般のワイヤレスコミュニケーションネットワーク中、一ランダムアクセス工程（RA）は、アップリンクコンポーネントキャリア（CC）上で初期化され、アップリンク伝送に必要な時間先行（timing  advance）を得ることが必要である。これにより、eNodeB(eNB)が、効果的に、ランダムアクセスチャネル(RACH)リソースを、ユーザー装置(UE)に割り当てて、必要なランダムアクセス工程を実行する方法と装置が必要である。
【発明の概要】
【発明が解決しようとする課題】
【０００３】
本発明は、ワイヤレスコミュニケーションネットワーク中、eNodeB(eNB)が、キャリアアグリゲーション下で、ランダムアクセスチャネル(RACH)リソースを割り当てる方法と装置を提供することを目的とする。
【課題を解決するための手段】
【０００４】
ワイヤレスコミュニケーションシステム中、eNodeB(eNB)がランダムアクセスチャネル(RACH)リソースを割り当てる方法と装置が開示される。本方法は、アップリンク(UL)コンポーネントキャリア(CC)セットとダウンリンク(DL)コンポーネントキャリアセットをユーザー装置（UE）に配置し、キャリアアグリゲーション(CA)するステップを含む。方法は、更に、アップリンクコンポーネントキャリアセットのアップリンクコンポーネントキャリアとダウンリンクコンポーネントキャリアセットのダウンリンクコンポーネントキャリアを対にして、ランダムアクセスを実行する方法を含み、アップリンクコンポーネントキャリアは、ランダムアクセスチャネル(RACH)リソースを含む。方法は、更に、ランダムアクセス工程で、UEから、UL  CC上で、ランダムアクセス前文メッセージを受信し、ランダムアクセス前文メッセージの受信に応答して、対のDL  CC上で、ランダムアクセス応答メッセージを伝送するステップを含む。
【発明の効果】
【０００５】
本発明の方法と装置により、eNodeB(eNB)が、効果的に、ランダムアクセスチャネル(RACH)リソースを、ユーザー装置(UE)に割り当てて、必要なランダムアクセス工程を実行することができる。
【図面の簡単な説明】
【０００６】
【図１】本発明の一具体例によるマルチアクセスワイヤレスコミュニケーションシステムを示す図である。
【図２】本発明の一具体例によるトランスミッターシステム(アクセスネットワークとして知られる)とレシーバーシステム(アクセス端子(AT)、又は、ユーザー装置(UE)として知られる)の具体例の簡略ブロック図である。
【図３】本発明の一具体例による通信装置の別の簡潔な機能ブロック図である。
【図４】本発明の具体例による図3中で示されるプログラムコードの簡潔なブロック図である。
【図５】本発明の一具体例によるRACHリソースを割り当てるフローチャートを示す図である。
【発明を実施するための形態】
【０００７】
以下の例によるワイヤレスコミュニケーションシステムとワイヤレスコミュニケーションシステムを用いた装置は、放送サービスをサポートする。ワイヤレスコミュニケーションシステムは、幅広く応用されて、様々な通信、例えば、音声、データ等を提供している。これらのシステムは、符号分割多重アクセス(CDMA)、時分割多重アクセス(TDMA)、直交周波数分割多元接続(OFDMA)、3GPP  LTE(Long  Term  Evolution)無線アクセス、3GPP2  UMB(Ultra  Mobile  Broadband)、WiMax、又は、その他の変調技術に基づく。
【０００８】
特に、以下で示されるワイヤレスコミュニケーションシステム装置は、一つ、或いは、それ以上の基準、例えば、"第3世代(3G)移動体通信システムの標準化プロジェクト（3rd  Generation  Partnership  Project）"（3GPP）により制定される規準をサポートするように設計され、ドキュメント番号3GPP  TR  36.814(“E-UTRA物理層アスペクトの更なる向上(リリース9)”)、3GPP  TSG-RAN  WG2  R2-095898(“RACHとキャリアアグリゲーション”)、3GPP  TSG-RAN  WG2  R2-094778(“アイドルモードにおけるアンカーコンポーネントキャリア混同”)、3GPP  TSG-RAN  WG2  R2-094719(“初期ランダムアクセス工程におけるDLコンポーネントキャリア曖昧性”)、3GPP  TSG-RAN  WG2  R2-094993(“CAの初期RACH工程ディスカッション”)、3GPP  TSG-RAN  WG2  R2-097016(“非対称の初期RACH工程の問題”)、3GPP  TSG-RAN  WG2  R2-096486(“キャリアアグリゲーションのスケジューリングアスペクト”)を含む。列挙される基準とドキュメントは、明細書の一部分を構成する。
【０００９】
図1は、本発明の一具体例によるマルチアクセスワイヤレスコミュニケーションシステムを示す図である。アクセスネットワーク100(AN)は、複数のアンテナ群からなり、一アンテナ群は104と106からなり、もう一群は108と110からなり、更に別のアンテナ群は112と114からなる。図1中、各アンテナ群として、二個のアンテナだけが示されているが、各アンテナ群のアンテナ数量は、一つ、或いは、より少なくてもよい。アクセス端子116(AT)は、アンテナ112と114と通信し、アンテナ112と114は、送信リンク120により、情報をアクセス端子116に伝送し、逆方向リンク118により、アクセス端子116から情報を受信する。アクセス端子(AT)122は、アンテナ106と108と通信し、アンテナ106と108は、送信リンク126により、情報をアクセス端子(AT)122に伝送し、逆方向リンク124により、アクセス端子(AT)122から情報を受信する。FDDシステム中、通信リンク118、120、124、及び、126は、異なる周波数を用いて通信する。例えば、送信リンク120は、逆方向リンク118と異なる周波数を用いる。
【００１０】
各群のアンテナ、及び/又は、通信するように設計された領域は、通常、アクセスネットワークのセクターと称される。具体例中、各アンテナ群は、アクセスネットワーク100により被覆される領域のセクター内のアクセス端子と通信するように設計される。
【００１１】
送信リンク120と126が通信する時、アクセスネットワーク100の伝送アンテナは、ビーム形成を用いて、異なるアクセス端子116と122の送信リンクの信号対雑音比を改善する。又、単一アンテナを使用した全アクセス端子に伝送されるアクセスネットワークと比較すると、ビーム形成を用いて、被覆範囲にランダムに散在したアクセス端子に伝送されるアクセスネットワークは、隣接セル中のアクセス端子への干渉を減少させることができる。
【００１２】
アクセスネットワーク(AN)は、端子との通信に用いられる固定局、又は、基地局で、アクセスポイント、Node  B、基地局、増大基地局、eNodeB、又は、eNBと称されるか、又は、別の専門用語である。アクセス端子(AT)は、ユーザー装置(UE)、無線通信装置、端子、アクセス端子と称されるか、又は、別の専門用語である。
【００１３】
図2は、MIMOシステム200中、トランスミッターシステム210(アクセスネットワークとして知られる)とレシーバーシステム250(アクセス端子(AT)、又は、ユーザー装置(UE)として知られる)の具体例の簡略ブロック図である。トランスミッターシステム210で、多数のデータストリームのトラフィックデータが、データソース212から、(TX)データプロセッサ214に提供される。
【００１４】
一具体例中、各データストリームは、対応する送信アンテナにより伝送される。TXデータプロセッサ214は、データストリームに選択された特定のコード体系に基づいて、各データストリームのトラフィックデータをフォーマット化、符号化、インターリーブすると共に、符号化データを提供する。
【００１５】
各データストリームの符号化データは、OFDM技術を用いて、パイロットデータと多重化される。パイロットデータは、一般に、既知の方式で処理されたデータパターンとして知られ、レシーバーシステムで用いられて、チャネル応答を推定する。その後、データストリームに選択された特定の変調方式(例えば、BPSK、QPSK、M-PSK、又は、M-QAM)に基づいて、各データストリームの多重化パイロットと符号化データが変調され(符号がマップされる)、変調符号を提供する。各データストリームのデータレート、符号化、及び、変調は、プロセッサ230により実行される指令により決定される。
【００１６】
その後、全データストリームの変調符号は、TX  MIMOプロセッサ220に提供され、更に、変調符号(例えば、OFDM)を処理する。その後、TX  MIMOプロセッサ220は、NT変調符号ストリームをNTトランスミッター(TMTR)222a〜222tに提供する。ある具体例中、TX  MIMOプロセッサ220は、ビーム形成比重をデータストリームの符号、及び、伝送される符号のアンテナに提供する。
【００１７】
各トランスミッター222は、対応する符号ストリームを受信し、処理して、一つ、或いは、それ以上のアナログ信号を提供し、更に、アナログ信号を調節(例えば、増幅、ろ過、及び、アップコンバート)し、MIMOチャネルにより、伝送に適する変調信号を提供する。その後、トランスミッター222a〜222tからのNT変調信号は、それぞれ、NTアンテナ224a〜224tに伝送される。
【００１８】
レシーバーシステム250で、伝送された変調信号は、NRアンテナ252a〜252rにより受信され、各アンテナ252から受信された信号は、対応するレシーバー(RCVR)254a〜254rに提供される。各レシーバー254は、対応する受信信号を調整(例えば、ろ過、増幅、及び、ダウンコンバート)し、調整済み信号をデジタル化して、サンプルを提供し、更に、サンプルを処理して、対応する“受信された”符号ストリームを提供する。
【００１９】
その後、特定のレシーバー処理技術に基づいて、RXデータプロセッサ260は、NRレシーバー254から、NR受信符号ストリームを受信、処理して、NT“検出”符号ストリームを提供する。その後、RXデータプロセッサ260は、各検出された符号ストリームを復調、デインターリーブ（deinterleaves）、及び、復号して、データストリームのトラフィックデータを修復する。RXデータプロセッサ260による処理は、トランスミッターシステム210で、TX  MIMOプロセッサ220とTXデータプロセッサ214により実行される処理と相補する。
【００２０】
プロセッサ270は、周期的に、どのプレプレコーディングマトリクスが用いられるか決定する(以下で説明する)。プロセッサ270は、マトリクス索引部分とランク値部分を含む逆方向リンクメッセージを制定する。
【００２１】
逆方向リンクメッセージは、通信リンク、及び/又は、受信されたデータストリームに関する様々な種類の情報を含む。その後、逆方向リンクメッセージは、TXデータプロセッサ238により処理され、データソース236から、多数のデータストリームのトラフィックデータを受信し、変調器280により変調され、トランスミッター254a〜254rにより調整され、トランスミッターシステム210に送り返される。
【００２２】
トランスミッターシステム210で、レシーバーシステム250からの変調信号がアンテナ224により受信され、レシーバー222により調整され、復調器240により復調され、RXデータプロセッサ242により処理されて、レシーバーシステム250から伝送される保留リンクメッセージを抽出する。その後、プロセッサ230は、どのプレコーディングマトリクスが用いられて、ビーム形成比重を決定するか決定し、その後、抽出されたメッセージを処理する。
【００２３】
図3を参照すると、本発明の一具体例による通信装置の別の簡潔な機能ブロック図である。図3で示されるように、ワイヤレスコミュニケーションシステム中の通信装置300は、図1のUE(又は、AT)116と122を実現するのに用いられ、ワイヤレスコミュニケーションシステムは、好ましくは、LTEシステムである。通信装置300は、入力装置302、出力装置304、制御回路306、中央処理装置(CPU)308、メモリ310、プログラムコード312、及び、トランシーバ314を含む。制御回路106は、CPU308により、メモリ310中で、プログラムコード312を実行し、これにより、通信装置300の操作を制御する。通信装置300は、入力装置302、例えば、キーボード、又は、キーパッドにより、ユーザーにより入力された信号を受信し、出力装置304、例えば、モニター、又は、スピーカーにより、イメージや音声を出力することができる。トランシーバ314は、無線信号を受信、伝送し、受信された信号を制御回路306に伝送し、制御回路306により生成される信号をワイヤレスで出力するのに用いられる。
【００２４】
図4は、本発明の具体例による図3中で示されるプログラムコード312の簡潔なブロック図である。本具体例中、プログラムコード312は、応用層400、第三層部分402、及び、第二層部分404を含み、第一層部分406に結合される。第三層部分402は、通常、無線リソース制御を実行する。第二層部分404は、通常、リンク制御を実行する。第一層部分406は、通常、物理接続を実行する。
【００２５】
以下の討論中で、本発明は、主に、3GPP機構規範モデルの状況で描写されている。しかし、当業者なら、容易に、本発明の3GPP2ネットワーク機構で実施される方式を別のネットワーク機構に応用することができる。
【００２６】
一具体例中、3GPP  TR  36.814リリース9で記述されるように、キャリアアグリゲーションは、二つ、又は、それ以上のコンポーネントキャリアが結合されたもので、広い伝送バンド幅をサポートするためにサポートされる。端子は、その能力に基づいて、同時に、一つ、或いは、複数のコンポーネントキャリアを、同時に、受信、又は、送信する。例えば、キャリアアグリゲーションの受信、及び/又は、伝送能力を有するLTE-Advanced端子は、複数のコンポーネントキャリア(CC)上で、同時に、受信、及び/又は、伝送することができる。別の具体例中、LTE端子は、コンポーネントキャリアの構造がその規格に符合する状況下、単一のコンポーネントキャリア上で、受信、及び、伝送することができる。更に、UEを設置して、アップリンク(UL)とダウンリンク(DL)中、恐らく異なるバンド幅の異なる数量のコンポーネントキャリアのアグリゲートが可能である。
【００２７】
この他、端子は、その能力に基づいて、一つ、或いは、複数のコンポーネントキャリアを同時に、受信、伝送する。基本的に、キャリアの数量は、QoS、キャリアのトラフィック負荷、及び、キャリア範囲に基づく。よって、非対称のアップリンク(UL)とダウンリンク(DL)のキャリアの数は、ULが主である、及び、DLが主であるデータ転送で可能である。キャリアアグリゲーション(CA)が設定されると、RACHリソースは、複数のアップリンクキャリア上で利用することが可能である。
【００２８】
3GPP  TSG-RAN  WG2  R2-095898は、CAが設定される時のUEのRACHリソースの説明を提供する。
【００２９】
UEが、キャリアアグリゲーションに、一つ以上のUL  CCを割り当てられる時、UEに、１個以上の利用可能なRACHがある可能性がある。割り当てられた各UL  CCは、RACHをサポートし、実際には、非対称のULとDLのキャリア数があり、例えば、二DL  CCがどちらも一UL  CCと対になり、例えば、時分割等の分割方法により、各DL  CCのRACHが同じUL  CCにマップされる時、UEは、一UL  CC上で、二組のRACHパラメータに分割される。UL  CC上のRACHリソースが、二つ、又は、それ以上のDL  CC間で分割されると仮定すると、これらは、UEにより分離したRACH実体とみなされる。
【００３０】
上述のように、この非対称のCA割り当て(例えば、一UL  CCと二DL  CC)で、一UL  CCは、二DL  CCにマップされて、ランダムアクセス工程を実行する。
【００３１】
非対称のCA割り当てのRACHリソース組み合わせの問題も、以下の寄稿(及び、ドキュメント)、3GPP  TSG-RAN  WG2  R2-094778、3GPP  TSG-RAN  WG2  R2-094719、3GPP  TSG-RAN  WG2  R2-094993、及び、3GPP  TSG-RAN  WG2  R2-097016で討論される。これらの全寄稿は、一UL  CCが複数のDL  CCにマップされて、ランダムアクセス工程を実行すると仮定されている。
【００３２】
上述で列挙される寄稿とドキュメントで討論されるように、一UL  CCが複数のDL  CCにマップされて、ランダムアクセス工程を実行する。これにより、同じ特殊セル、又は、サービングセル(例えば、DL  CC1/UL  CC2)に連結する異なるUEの以下のCA配置が可能である:
(1)    UE  1  -  DL:  CC1,  CC3;  UL:  CC2,  CC4
(2)    UE  2  -  DL:  CC1,  CC5;  UL:  CC2,  CC4
(3)    UE  3  -  DL:  CC1,  CC7;  UL:  CC2,  CC4,  CC6
UE  1、  UE  2、及び、  UE  3のRACHリソース割り当ては、以下のように仮定される:
(1)    UE  1  -  CC1/CC2,  CC3/CC4
(2)    UE  2  -  CC1/CC2,  CC5/CC4
(3)    UE  3  -  CC1/CC2,  CC7/CC4
上述のRACHリソース割り当ては、UL  CC2は、常に、DL  CC1と対になり、ランダムアクセス工程を実行し、UL  CC4は、異なるUEの異なるDL  CC(例えば、CC3、5、又は、CC7)と対になることを意味する。同じULキャリア(例えば、CC4)が、異なるUE(例えば、CC3、CC5とCC7)の異なるDLキャリアと関連する時、eNBは、前文メッセージの受信時に、UEが誰か知らないので、eNBは、前文メッセージがCC4(例えば、UE1により伝送される)上で受信される時、CC3、CC5とCC7上で、応答メッセージを伝送する必要がある。このような割り当ては、更に多くのDLリソースを使用するだけでなく、ランダムアクセス工程がUEにより初期化される毎に、別のキャリア(例えば、CC5とCC7)上で、不要なコリジョンが発生し、又、隣接セル間に更に多くの干渉が発生する可能性がある。これらの欠点を防止するため、好ましくは、一UL  CCが複数のDL  CCにマッされて、ランダムアクセス工程実行に用いられるのを回避する。
【００３３】
反対に、ランダムアクセスのUL  CCとDL  CC間のマッピングが制約されて、UL  CCが一DL  CCと対になるのを許す。二レベルの制限(例えば、UE範囲とeNB範囲内)が適用される。更に、RACHリソースを有するアップリンクCCにとって、通常、少なくとも一つのDL  CCがシステム情報方法に用いられ、CAが設定される時(つまり、別のDLキャリア情報、少なくともCell  ID、キャリア周波数、及び、バンド幅を含む必要がない)、UL  CCをこのDL  CCと対にして、シグナリングオーバーヘッドを減少させることに役立つ。そうすることで、干渉可能性とコリジョンが減少する。
【００３４】
図5を参照すると、本発明の一具体例によるRACHリソースを割り当てるフローチャート500を示す図である。ステップ502で、eNBは、アップリンク(UL)コンポーネントキャリア(CC)セットとダウンリンク(DL)コンポーネントキャリアセットを一つ、或いは、それ以上のUEに配置して、キャリアアグリゲーション(CA)する。一具体例中、キャリアアグリゲーションは、専用の無線リソース制御(RRC)メッセージ(例えば、RRC接続再配置メッセージ)を用いて設定される。ステップ504で、eNBは、アップリンクコンポーネントキャリアセット中のアップリンクコンポーネントキャリアとダウンリンクコンポーネントキャリアセット中のダウンリンクコンポーネントキャリアを対にして、ランダムアクセスを実行し、アップリンクコンポーネントキャリアは、ランダムアクセスチャネル(RACH)リソースを有する。更に、上述の専用のRRCメッセージは、対のUL  CCとDL  CC間の対の関係を指示し、ランダムアクセスチャネル(RACH)配置情報を含む。別の具体例中、対のUL  CCとDL  CCは、セルを形成する。一具体例中、RACH配置情報は、ランダムアクセスに用いるRACHリソースを定義する。ステップ506中、ランダムアクセス工程で、eNBは、UEから、UL  CC上で、ランダムアクセス前文メッセージを受信し、ランダムアクセス前文メッセージの受信に応答して、対のDL  CC上で、ランダムアクセス応答メッセージを伝送する。
【００３５】
開示の様々な側面が上述で記述されている。ここでの教示は、様々な形態で具体化され、ここで開示されるあらゆる特定の構造、機能、又は、両方は単なる代表であることは明らかである。教示に基づくと、当業者なら理解できるように、ここで開示される側面は、独立して、別の側面を利用し、様々な方法で、二つ、又は、それ以上のこれらの側面を結合して、実行される。例えば、ここで示したあらゆる側面を用いて、装置が実行されたり、又は、方法が実現される。この他、このような装置の実行、又は、このような方法の実現は、別の構造、機能性、又は、構造と機能性を用いて、前に示された一つ、或いは、それ以上の側面を実現することができる。上述のコンセプトのある例によると、ある側面で、並列チャネルは、パルス繰り返し周波数に基づいて構成される。ある側面で、並列チャネルは、パルス位置、又は、オフセットに基づいて構成される。ある側面で、並列チャネルは、時間ホッピングシーケンスに基づいて構成される。ある側面で、並列チャネルは、パルス繰り返し周波数、パルス位置、又は、オフセット、及び、時間ホッピングシーケンスに基づいて構成される。
【００３６】
当業者なら理解できるように、情報と信号は、多種の異なる科学技術と技術を用いて表現される。例えば、上述で引用されるデータ、指示、コマンド、情報、信号、ビット、符号、及び、チップは、電圧、電流、電磁波、磁界、又は、磁性粒子、光場、又は、光粒子、又は、それらの組み合わせにより表現される。
【００３７】
当業者なら更に理解できるように、ここで開示される側面に関連して記述される各種実例の論理ブロック、モジュール、プロセッサ、手段、回路、及び、アルゴリズムステップは、電子ハードウェア(例えば、デジタル実現、アナログ実装、又は、二つの組合せで、情報源符号化、又は、別の技術を用いて設計される)、指示を含む様々な形式のプログラム、又は、設計コード(便宜上、“ソフトウェア”、又は“ソフトウェアモジュール”と称される)、又は、二つの組み合わせとして実行される。ハードウェアとソフトウェアのこの互換性をはっきりと説明するため、素子、ブロック、モジュール、回路、及び、ステップは、一般の機能性の観点で記述されている。このような機能性が、ハードウェア、又は、ソフトウェアとして実行されても、システム全体に与えられる特定のアプリケーションと設計制約に基づく。熟知する者は、様々な方法で、各特定のアプリケーションに、記述された機能性を実行するが、このような実行の決定は、本発明の開示範囲から逸脱すると解釈されてはならない。
【００３８】
この他、ここで開示される側面に関連する論理ブロック、モジュール、及び、回路は、集積回路(“IC”)、アクセス端子、又は、アクセスポイント内で実行されるか、又は、これらにより実行される。ICは、汎用のプロセッサ、デジタル信号プロセッサ(DSP)、特定用途向け集積回路(ASIC)、フィールドプログラマブルゲートアレイ(FPGA)、又は、プログラマブルロジック装置、離散ゲート、又は、トランジスタ論理、離散的ハードウェアコンポーネンツ、電子素子、光学素子、機械素子、又は、それらの組み合わせからなり、記述された機能を実行し、IC内、IC外、又は、両方に属するコード、又は、指示を実行する。汎用のプロセッサは、マイクロプロセッサであるが、別の方法では、プロセッサは、公知のプロセッサ、コントローラー、マイクロコントローラー、又は、状態機械である。プロセッサは、コンピュータデバイスの組み合わせから構成され、例えば、DSPとマイクロプロセッサの組み合わせ、複数のマイクロプロセッサ、DSPコアと連結する一つ、或いは、それ以上のマイクロプロセッサ、又は、別のこのような配置である。
【００３９】
開示されるプロセスのステップの特定順序、又は、階層ステップは、サンプルアプローチの例であることが理解できる。デザイン嗜好に基づくと、開示されるプロセスのステップの特定順序、又は、階層ステップは、本発明の開示範囲内で、再配置されることが分かる。付随の方法の請求項は、サンプル順序で、様々なステップの素子を示し、提示される特定順序、又は、階層ステップが制限されることを意味するのではない。
【００４０】
ここで開示される側面に関連する方法、又は、アルゴリズムのステップは、直接、ハードウェア、プロセッサにより実行されるソフトウェアモジュール、又は、二つの組み合わせで具体化される。ソフトウェアモジュール(例えば、実行可能命令と関連データを含む)と別のデータは、データメモリ、例えば、RAMメモリ、フラッシュメモリ、ROMメモリ、EPROMメモリ、EEPROMメモリ、抵抗器、ハードディスク、リムーバブルディスク、CD-ROM、又は、既知の別の形式のコンピュータ可読のストレージ媒体に属する。サンプルストレージ媒体は、例えば、コンピュータ/プロセッサ(便宜上、“プロセッサ”と称される)に結合され、このようなプロセッサは、ストレージ媒体から情報(例えば、コード)を読み取り、ストレージ媒体に情報を書き込む。サンプルストレージ媒体はプロセッサに整合される。プロセッサとストレージ媒体はASICに属する。ASICはユーザー装置に属する。別の方法では、プロセッサとストレージ媒体は、ユーザー装置中で、離散的素子として属する。更に、ある側面で、適当なコンピュータプログラム製品は、一つ、或いは、それ以上の開示の側面に関係するコードを含むコンピュータ可読の媒体を有する。ある側面で、コンピュータプログラム製品は、パッケージ材料を含む。
【００４１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４２】
100  アクセスネットワーク
104、106、108、110、112、114  アンテナ群
116、122  アクセス端子
118、124  逆方向リンク
120、126  送信リンク
200  MIMOシステム
210  トランスミッターシステム
212、236  データソース
214、238  TXデータプロセッサ
220  TX  MIMO  プロセッサ
250  レシーバーシステム
222a〜222t  トランスミッター(TMTR)
254a〜254r  レシーバー(RCVR)
224a〜224t、252a〜252r  アンテナ
230、270  プロセッサ
240  復調器
242  RXデータプロセッサ
250  レシーバーシステム
260  RXデータプロセッサ
300  通信装置
302  入力装置
304  出力装置
306  制御回路
308  中央処理装置(CPU)
310  メモリ
312  プログラムコード
314  トランシーバ
400  応用層
402  第三層部分
404  第二層部分
406  第一層部分
【図１】
2011139461.tif 000003
【図２】
2011139461.tif 000004
【図３】
2011139461.tif 000005
【図４】
2011139461.tif 000006
【図５】
2011139461.tif 000007
【外国語明細書】
2011139461000001.pdf